(57)【特許請求の範囲】
【請求項１】
一枚の板紙で形成され、内部に物品が収納されて冊子体に綴じこまれる収納体であって、
前記冊子体に綴じこまれる綴じ込み部と、
係合部を有し、前記綴じ込み部に切り離し可能に連接されて設けられた蓋部と、
前記蓋部に連接されて設けられた背面部と、
前記背面部に連接されて設けられ、前記背面部と貼り合わされて前記物品の収納スペースを形成する前面部と、
前記前面部に切り離し可能に連接されて設けられ、前記蓋部と貼り合わされて前記収納スペースを密閉する密閉部と、
を備え、
前記前面部は、前記蓋部の係合部と係合可能な被係合部を有することを特徴とする収納体。
【請求項２】
前記蓋部と前記背面部との間に所定の幅で設けられた背表紙部をさらに備えることを特徴とする請求項１に記載の収納体。
【請求項３】
前記前面部及び背面部の少なくとも一方の、前記綴じ込み部の長手方向と直交する端部の少なくとも一方に延設して設けられた余剰部をさらに備えることを特徴とする請求項１または２に記載の収納体。
【請求項４】
前記板紙は、１平方メートルあたり２５０グラム以上３００グラム以下であり、前記綴じ込み部は、その長手方向が前記板紙の紙目と平行となるように形成されていることを特徴とする請求項１から３のいずれか一項に記載の収納体。
【請求項５】
前記前面部は、前記密閉部側の端部に、前記背面部と隣接する端部に向かって凸となるように切り離し可能に設けられた開封部を有し、前記収納スペースには、円盤状の記憶媒体が収納されていることを特徴とする請求項１から４のいずれか一項に記載の収納体。
【請求項６】
請求項１から５のいずれか一項に記載の収納体を備えることを特徴とする無線綴じ冊子体。
【発明の詳細な説明】
【技術分野】
【０００１】
本発明は、冊子体に綴じこまれてコンパクトディスク（Compact Disc、以下、「ＣＤ」と称する。）やＤＶＤ（Digital Versatile Disc）等の記憶媒体等を収納する収納体及び当該収納体を備えた無線綴じ冊子体に関する。
【背景技術】
【０００２】
ＣＤ、ＤＶＤ等の記憶媒体を紙製の収納体に収納して綴じ込んだ冊子体は、音声等を記憶媒体に入れて添付することができることから、読者の多様なニーズに応えることができるという利点を有している。
【０００３】
このような収納体としては、種々の構造が知られている。例えば、特許文献１には、一枚の板紙に孔開け加工部、筋押し加工部、切り込み加工部、ミシン目加工部を形成し、綴じ込み用端部のみが一枚になるように、切り込み加工部で折り込んだ収納体が記載されている。
また、特許文献２には、折丁の一部に、袋状に形成されたＣＤ収納用容器を貼り付ける構造が記載されている。
さらに、特許文献３には、正面板上にＣＤを載置し、正面板の四方に連接された板、すなわち、正面板の下側に連接された背面板、両側に連接された糊代板、上側に連接された開閉蓋板を折り曲げることによって、ＣＤを保持する収納体が記載されている。
【特許文献１】特開２００２−２８４２７９号公報
【特許文献２】実開平３−８１７６６号公報
【特許文献３】特開平８−３２４６６７号公報
【発明の開示】
【発明が解決しようとする課題】
【０００４】
しかしながら、上記各収納体には、以下に示すように、いくつかの問題がある。
まず、特許文献１及び２に記載の収納体は、収納体が冊子体から切り離された後の保存性についてあまり考慮されていない。また、特許文献２に記載の収納体は、保存するために折丁から剥がすと、剥がした部分の接着剤の跡が、冊子体の美観を損なうという問題もある。本来、ＣＤやＤＶＤ等の記憶媒体は、再生される再生機器やパソコン等の近くに置かれるのが便利だということもあり、長期間、見栄えのよい状態で、これらの機器の近くに保存することができる収納体が望まれていた。
【０００５】
また、上記各特許文献に記載の収納体には、厚い部分と薄い部分が存在するため、綴じこまれた収納体が接する、あるいは近接する冊子体の数枚の頁に跡がつき、冊子体の美観を損なうという問題がある。
【０００６】
さらに、上記各特許文献に記載の収納体は収納された記憶媒体等の取り出し操作が決して容易であるとはいえず、子供や老人等においては、出し入れ動作時に無理が生じ、記憶媒体等に爪等で傷をつけてしまう可能性があるという問題がある。
【０００７】
本発明は上記事情に鑑みてなされたものであり、冊子等に綴じこまれても冊子等の美観を損なうことなく、冊子等から取り外しても収納された物品を長期間見栄えのよい状態で保存することができる収納体及び当該収納体が綴じこまれた無線綴じ冊子体を提供することを目的とする。
本発明の他の目的は、内部に収納された物品を傷つけずに容易に取り出すことができる収納体及び無線綴じ冊子体を提供することである。
【課題を解決するための手段】
【０００８】
本発明の第１の態様は、一枚の板紙で形成され、内部に物品が収納されて冊子体に綴じこまれる収納体であって、前記冊子体に綴じこまれる綴じ込み部と、係合部を有し、前記綴じ込み部に切り離し可能に連接されて設けられた蓋部と、前記蓋部に連接されて設けられた背面部と、前記背面部に連接されて設けられ、前記背面部と貼り合わされて前記物品の収納スペースを形成する前面部と、前記前面部に切り離し可能に連接されて設けられ、前記蓋部と貼り合わされて前記収納スペースを密閉する密閉部とを備え、前記前面部は、前記蓋部の係合部と係合可能な被係合部を有することを特徴とする。
【０００９】
本発明の収納体によれば、冊子等に綴じ込んだ際も、綴じ込み部と蓋部とを切り離して容易に保存に適した形となる。そして、蓋部によって収納スペースを開閉自在に閉じることができ、長期間の保存が可能となる。さらに、前面部と背面部との接着面積が減少し、収納体をよりコンパクトにすることができる。
【００１０】
本発明の収納体は、前記蓋部と前記背面部との間に所定の幅で設けられた背表紙部をさらに備えてもよい。この場合、内部に収納された物品の識別性が高まり、より見栄えよい状態で保存することができる。
【００１２】
本発明の収納体は、前記前面部の、前記綴じ込み部の長手方向と直交する端部の少なくとも一方に延設して設けられた余剰部をさらに備えてもよい。この場合、収納体が冊子等に綴じ込まれる際に、誤って収納体や収納された物品が破損されるのを防ぐことができる。
【００１３】
前記板紙は、１平方メートルあたり２５０グラム以上３００グラム以下であり、前記綴じ込み部は、その長手方向が前記板紙の紙目と平行となるように形成されてもよい。この場合、充分な剛性を有し、かつ製造が容易な収納体とすることができる。
【００１４】
前記前面部は、前記密閉部側の端部に、前記背面部と隣接する端部に向かって凸となるように切り離し可能に設けられた開封部を有し、前記収納スペースには、円盤状の記憶媒体が収納されてもよい。この場合、収納体に収納された記憶媒体が取り出しやすい収納体とすることができる。
【００１５】
本発明の第２の態様である無線綴じ冊子体は、本発明の収納体を備えることを特徴とする。
【発明の効果】
【００１６】
本発明の収納体及び無線綴じ冊子体によれば、冊子等に綴じこまれても冊子等の美観を損なうことなく、冊子等から取り外しても収納された物品を長期間見栄えのよい状態で保存することができる。
また、内部に収納された物品を傷つけずに容易に取り出すことができる。
【発明を実施するための最良の形態】
【００１７】
以下、本発明の第１実施形態の収納体及び無線綴じ冊子体について、図１から図６を参照して説明する。
図１は、本実施形態の収納体１を展開した状態を示す図であり、図２は、図１の裏側を示す図である。収納体１は、幅方向の寸法が２００から２１０ミリメートル（ｍｍ）の帯状の１枚の板紙Ｐを折り曲げて形成されており、内部に１２センチメートル（ｃｍ）のＣＤやＤＶＤ等の記憶媒体（物品）が収納される収納体である。このとき、板紙Ｐの紙目が矢印Ａで示すように、幅方向に沿うように板紙Ｐを切り出すのが好ましい。
【００１８】
収納体１を形成する板紙Ｐとしては、いわゆるマニラボールの両面コートカード紙が最も好適である。例示すれば、王子製紙（株）製のサンカード、エルカード、Ｓカードグリーン１００、北越製紙（株）製のノーバックＷ、ハイラッキー、クリーンコートＷ、日本大昭和板紙（株）製のユニフェイスＷ、Ｆ−１カード等が挙げられる。
その他には、マニラボールの片面コートカード紙が好ましい。例えば、三菱製紙（株）製のハイパール、北越製紙（株）製のハイクリーンコート、日本大昭和板紙（株）製のリファイン、北越製紙（株）製のＮｅｗ−ＤＶ、王子製紙（株）製のＮｅｗビジョン、ＰＣグリーン１００、日本大昭和板紙（株）製のＪＥＴエース等が挙げられる。
さらに、コートボールである、王子製紙（株）製のＵＦコート、ＯＫボール、サンコート、レンゴー（株）製のＣＲＣ、北越製紙（株）製のマリコート、日本大昭和板紙（株）製のＪＥＴスター等も使用することができる。
【００１９】
図１に示すように、収納体１は、冊子体に綴じこまれる綴じ代となる綴じ込み部２と、綴じ込み部２に切り離し可能に連接されて設けられた蓋部３と、蓋部３に連接されて設けられた背面部４と、背面部４に連接された前面部５と、前面部５に切り離し可能に連接されて設けられた密閉部６とを備えて構成されている。
なお、以下の説明においては、特にことわらない限り、板紙Ｐの幅方向、すなわち、綴じ込み部２の長手方向を収納体１の上下方向、綴じ込み部２の幅方向を左右方向として説明する。
【００２０】
綴じ込み部２の左右方向の寸法は約３０ｍｍに設定されている。綴じ込み部２の寸法は、収納される記憶媒体の寸法や、綴じ込まれる冊子体の寸法に応じて適宜変更されてよい。
【００２１】
蓋部３の左右方向の寸法は、約２５ｍｍとなっている。綴じ込み部２と蓋部３との間には、ミシン目Ｍ１が設けられており、綴じ込み部と蓋部３とを切り離し可能に構成されている。
また、ミシン目Ｍ１は、基本的に上下方向に走行する直線であるが、２箇所だけ綴じ込み部２側に突出している。そのため、ミシン目Ｍ１に沿って綴じ込み部２と蓋部３とを切り離すと、上述の綴じ込み部２側に突出した箇所が蓋部３の凸部（係合部）３Ａとなる。凸部３Ａは、後述するように、収納体１を切り離した後に、収納体１を保存する際に使用される。
【００２２】
背面部４の左右方向の寸法は、収納されるＣＤ等より若干大きい１３５ｍｍ程度に設定されている。蓋部３と背面部４との間には、折目Ｏ１が上下方向にわたって設けられている。
【００２３】
前面部５は、折目Ｏ２を挟んで背面部４に連接されて設けられている。前面部５の左右方向の寸法は、背面部４と略同一に設定されており、折目Ｏ２で折り曲げて背面部４と前面部５とを対向させて上下方向の端部を一体に貼り合わせることによって、ＣＤ等を収納する収納スペースＳが形成される。
なお、各折目Ｏ１及びＯ２は、いずれも筋押し加工によって形成されているが、接続部部分の長いミシン目等によって形成されてもよい。
【００２４】
また、図２に示すように、背面部４及び前面部５の一方の面には、収納されるＣＤ等の記憶媒体の内容説明等が必要に応じて印刷されてもよい。このような印刷は、通常のオフセット輪転印刷機、オフセット平台印刷機、グラビア輪転印刷機等の各種印刷機により行うことができる。
【００２５】
密閉部６の左右方向の寸法は、蓋部３と略同一の約２５ｍｍに設定されている。密閉部６と前面部５との間には、上下方向にわたってミシン目Ｍ２が設けられている。密閉部６は、蓋部３と貼り合わされて収納スペースＳを密閉する。
なお、密閉部６は蓋部３と貼り合わせることができれば、左右方向の寸法は特に限定されないが、左右方向の寸法が蓋部３より長くなると、綴じ込み部２にかかり、冊子体に綴じ込まれる部位の厚みが増すので、蓋部３の左右方向の寸法以下に設定されるのが好ましい。
【００２６】
前面部５の、折目Ｏ２と反対側の端部には、折目Ｏ２に向かって凸となる曲線状のミシン目Ｍ３が設けられており、ミシン目Ｍ２及びＭ３によって、開封部７が前面部５に形成されている。開封部７は、密閉されたＣＤ等を取り出す際に、ユーザによって除去される。
また、前面部５の開封部より折目Ｏ２側には、蓋部３の凸部３Ａと係合可能なスリット（被係合部）５Ａが設けられている。
【００２７】
蓋部３、背面部４、前面部５、及び密閉部６には、上下の端部からそれぞれ１５〜２０ミリ程度はなれた箇所に、左右方向にわたってミシン目Ｍ４及びＭ５が設けられている。これによって、収納体の上下に余剰部８が形成されている。余剰部８は、収納体１が綴じ込まれた冊子体に対して上下をそろえるための断裁が行われる際にバッファとなって、収納されたＣＤ等が誤って破損されるのを防止する。
【００２８】
続いて、収納体１の製造手順について説明する。まず、図２に示すように、背面部４及び前面部５に必要に応じて印刷が施された板紙Ｐが、図１に示すように、印刷の施されていない面を上側にして、コンベア（不図示）上を矢印Ｂで示す方向に搬送される。
【００２９】
次に、前面部５の上下の余剰部８、前面部５の上下の端部、及び密閉部６に接着剤９が付着される。接着剤９は、板紙Ｐがコンベア上を流れる際に、接着剤が付着したローラを転がすことによって容易に板紙Ｐに付着させることができる。接着剤９としては、通常製本工程で使用される圧着性接着剤等を採用することができるが、生産量が少ない等の場合は、粘着テープ等を使用してもよい。
【００３０】
前面部５においては、接着剤９が付着していない部分の上下方向の寸法が、収納される記憶媒体の直径に３５ｍｍを加えた長さより短く、記憶媒体の直径に８ｍｍを加えた長さより長くなるように設定するのが好ましい。このようにすると、製造時に記憶媒体に接着剤が付着する可能性が抑えられ、収納後の記憶媒体の出し入れが子供や老人にとっても容易になる。
特に、板紙Ｐとして一平方メートル当たり２５０グラム以上、３００グラム以下の板紙を用いた場合は、収納される記憶媒体の直径に３５ｍｍを加えた長さより短く、記憶媒体の直径に１０ｍｍを加えた長さより長くなるように上記寸法を設定すると、収納された記憶媒体が、保管時や持ち運び時に収納スペースＳ内で上下方向に動き得る余地が小さくなり、記憶媒体に傷がつく可能性を低減することができる。本実施例においては、前面部５において接着剤９が付着していない部分の上下方向の寸法は１４５ｍｍ程度に設定されている。
なお、接着剤９を付着させる領域の面積は、適宜設定することができるが、少なくともＣＤ１０が使用されるまでの間、接着状態が保持され、かつ内部に収納されたＣＤ１０の移動によって剥離しない程度の接着強度を確保することが必要である。
【００３１】
接着剤９を上述の各部位に付着させた後、記憶媒体であるＣＤ１０を背面部４に載置する。載置方法は特に限定されないが、例えば、ＣＤ１０を吸盤で吸着し、コンベア上を流れる板紙Ｐの背面部４上に載置してもよい。
【００３２】
その後、板紙Ｐは、背面部４と前面部５とがＣＤ１０を挟んで対向するように折目Ｏ２から折り曲げられる。そして、背面部４の上下の余剰部８と前面部５の上下の余剰部８、背面部４の上下の端部と前面部５の上下の端部、及び蓋部３と密閉部６とが、それぞれ接着剤９によって一体に貼り合わされると、図３に示すように、収納スペースＳにＣＤ１０が収納され、密閉部６によって密閉された収納体１が完成する。
【００３３】
完成した収納体は、図４に示すように、冊子体に綴じ込むことが可能であり、これによって、収納体１を備えた無線綴じ冊子体１１を製造することができる。なお、本発明において、「無線綴じ」とは、いわゆるアジロ綴じも含む概念である。
【００３４】
無線綴じ冊子体１１の製造法について、以下に説明する。
本文の折丁を例えば８頁折りにして、製本機で丁合を行う。このとき、収納体１も同時に丁合を行い、背の部分をミーリングカットし、ホットメルト型接着剤を塗布した後に、表紙でくるみを行うと、無線綴じ冊子体１１が完成する。このように、収納体１は、無線綴じで製本を行う際に、本文の折丁と同時に製本機で丁合を行うことができ、効率的に無線綴じ冊子体１１を製造することができる。
通常、冊子体にこのような収納体を綴じ込む場合、収納体の位置がばらついたり傾いたりすることを防ぐために位置あわせが必要となる。このような位置あわせには、冊子体の本文と収納体１とを天側（上側）で位置あわせする場合と、地側(下側)で位置あわせする場合があるが、収納体１は、上下に余剰部８が設けられているので、いずれで位置あわせが行われて断裁されても、収納されたＣＤ１０が断裁作業によって破損されることはない。余剰部８がない場合、収納体１自体や、内部に収納されたＣＤ１０が断裁されてしまう恐れがある。
【００３５】
収納体１の使用時の動作について説明する。
図５に示すように、ミシン目Ｍ１に沿って収納体１を切り離すと、無線綴じ冊子体１１から収納体１が分離される。分離した後、上下の余剰部８をそれぞれミシン目Ｍ４、Ｍ５に沿って切り離すと、収納体１の上下の寸法が一般的なＣＤケース等と略同一となり、統一感のある外観で長期間保存することが可能である。
なお、背面部４と前面部５とは上下の端部が互いに接着されているので、余剰部８を切り取っても上下から収納されたＣＤ１０が出ることはない。
【００３６】
さらに、図６に示すように、前面部５の開封部７を、ミシン目Ｍ２及びＭ３に沿って切り取ると、密閉されていた収納スペースＳに開口１２が形成される。開口１２には、ミシン目Ｍ３によって形成された開封部７の凸形状によって、凹部１２Ａが形成されている。収納されたＣＤ１０の一部は凹部１２Ａから露出しているので、凹部１２Ａから指を差し入れてＣＤ１０の中央の穴に指をかけることによって、子供や老人でも容易に収納されたＣＤ１０を取り出すことができる。
【００３７】
ＣＤを収納体１内に収納して保存するときは、密閉部６と一体となった蓋部３を折目Ｏ１から折り曲げ、凸部３Ａを前面部５のスリット５Ａに挿入して係合させると、開口１２を開閉自在に閉じることができ、長期間の保存にも充分耐えることができる。
【００３８】
本実施形態の収納体１は、１枚の帯状の板紙Ｐに、ミシン目加工及び筋押し加工を施して、接着剤を塗布等によって付着させた後、折目Ｏ２にそって１回折り曲げて貼り合わせるだけで製造できる。したがって、非常に簡易な工程で製造することができる収納体を提供することができる。
また、収納体１は、ミシン目Ｍ１に沿って容易に無線綴じ冊子体１１から切り離すことができるので単独での収納に適しており、切り離された後の冊子体も美観が損なわれることがない。
【００３９】
また、収納体１は、板紙Ｐからなるため、上述のように、背面部４や前面部５に印刷が可能なほか、シールやラベルを貼ることも可能であり、再生機器やパソコン等の近傍に市販のＣＤケース等と並べて見栄えよく保管することができる。さらに、板紙Ｐの紙目が収納体１の上下方向に走行しているので、長期間にわたって保存しても、自重によって紙が自然に折れ曲がる等の問題が生じにくい。
【００４０】
また、板紙Ｐの紙目が上下方向、すなわち各折目Ｏ１、Ｏ２と平行となるように設定されているので、折り曲げが容易であり、機械加工で折り曲げる際にも効率よく折り曲げることができる。さらに、上述のように接着剤９の付着加工後、あるいは付着加工前に背面部４上に記憶媒体等を載置する工程を組み込めば、記憶媒体が収納された収納体を一連の製造工程で、効率よく製造することができる。
【００４１】
また、冊子体に綴じ込まれる綴じ込み部２は１枚の板紙から形成されるので、収納体１が切り離された後に無線綴じ冊子体１１に残存しても、当該冊子体が読みにくくなることがない。
さらに、収納体１のほとんどの部分は板紙Ｐが２層となって形成されており、部位による厚みの差がほとんどない構造となっている。したがって、冊子体に綴じ込まれたときに、収納体１の前後あるいは近接するページに収納体１の跡がつきにくく、冊子体の美観を損ねにくい。
【００４２】
そして、本実施形態の無線綴じ冊子体１１によれば、無線綴じという安価な製本方法で、容易に収納体１を綴じ込んだ無線綴じ冊子体を得ることができ、収納された記憶媒体等の物品が好適な状態で保存され、かつ切り離しての保存にも適した状態で添付された無線綴じ冊子体を得ることができる。
【００４３】
本実施形態では、収納体１の上下に余剰部８が設けられている例を説明したが、位置あわせが天地いずれの側で行われるかが予めわかっている等の場合は、上下何れか一方にのみ余剰部が設けられてもよい。また、余剰部は必ずしも板紙Ｐが貼り合わされた２層構造である必要はなく、例えば、背面部４及び前面部５のいずれか一方にのみ設けることによって、１層の構造としてもよい。
さらに、位置あわせのための基線が確保されていれば、左右方向にわたって設けられず、例えば１箇所の凸部あるいは所定の間隔をおいて設けられた複数の凸部によって形成されてもよい。加えて、背面部４と前面部５とを貼り合わせる領域を充分に確保することによって、余剰部を有さない構成とすることも可能である。
【００４４】
続いて、本発明の第２実施形態について説明する。本実施形態の収納体２１と、上述の第１実施形態の収納体１との異なるところは、背表紙部が設けられている点と、係合部及び被係合部の形状である。
なお、第１実施形態の収納体１と同様の構成については、同一の符号を付して重複する説明を省略する。
【００４５】
図７は、本実施形態の収納体２１を展開した状態を示す図であり、図８は、図７の裏側を示す図である。折目Ｏ１から背面部４側に所定距離、例えば５ｍｍ離れた箇所には、折目Ｏ１と同様の方法で形成された折目Ｏ３が設けられており、折目Ｏ１と折目Ｏ３によって、蓋部２２と背面部４との間に、背表紙部２３が設けられている。
背表紙部２３は、蓋部２２を折り返した際に、収納体２１の背表紙となる。
【００４６】
また、図７及び図８に示すように、綴じ込み部２と蓋部２２との間のミシン目Ｍ６は、直線状に形成されており、蓋部２２は凸部を有さない形状となっている。一方、前面部２４に設けられたスリット２４Ａは、ミシン目Ｍ３側に向かって凸となる略円弧状に形成されている。すなわち、本実施形態においては、蓋部２２を折り曲げた時にスリット２４Ａと対向するミシン目Ｍ６側の端部が係合部として機能し、その形状は平坦となっている。
【００４７】
収納体２１は、第１実施形態の収納体１と同様の手順で折目Ｏ２を折り曲げ、貼り合わせることによって図９に示すように完成される。そして、第１実施形態の無線綴じ冊子体１１と同様の方法で、図１０に示すように、収納体２１が綴じ込まれた無線綴じ冊子体２５を製造することができる
【００４８】
収納体２１の使用時の動作について、以下に説明する。
図１１に示すように、ユーザは、ミシン目Ｍ６に沿って収納体２１を切り離し、上下の余剰部８を切り取る。このとき、ミシン目Ｍ６は直線状に形成されているので、より容易に無線綴じ冊子体２５から切り離すことができる。
【００４９】
次に、図１２に示すように、第１実施形態の収納体１と同様の手順で開封部７を切り取り、収納スペースＳに開口１２を形成する。このとき、開封部を形成するミシン目Ｍ２及びＭ３の直線部分と背表紙部２３を形成する折目Ｏ１及びＯ３が略重なるように各部位の寸法を調整すると、後述する蓋部２２の折り曲げが容易となる。
【００５０】
続いて、折目Ｏ１及びＯ３を折り曲げて、図１３（ａ）に示すように、前面部２４のスリット２４Ａの下側に蓋部２２の端部を差し込むと、開口１２が開閉自在に閉じられて保存に適した状態となる。なお、１３（ｂ）は図１３（ａ）に示す状態の収納体２１を反対側から見た図である。
【００５１】
このとき、収納体２１の開口１２側には、背表紙部２３が位置し、収納体２１の背表紙として機能する。背表紙部２３には、背面部４や前面部２４と同様、所望の画像や情報等を印刷することが可能であるので、再生機器やパソコン等の近傍に並べて保存した際でも、背表紙部２３に印刷された情報をみて、収納された記憶媒体の内容を一目で把握することができる。
【００５２】
また、図１４に示すように、複数の収納体において、シリーズとしての統一感を表す印刷を各々の背表紙部２３に印刷し、並べて保存したときにさらに見栄えよく保存できるようにすることも可能である。
【００５３】
本実施形態の収納体２１によれば、蓋部２２の係合部が平坦に形成されているため、綴じ込み部２と蓋部２２との間のミシン目Ｍ６が直線となり、子供や老人でも容易に冊子体から切り離すことができる。
【００５４】
また、背表紙部２３によって、収納体２１の開口１２側に背表紙が形成されるので、収納体２１を単独で見た場合、多数並べて立てたり平積みにしたりした状態のいずれにおいても見栄えはより良くなって高級感が増す。また、立てて保存した状態の安定性も向上することができる。
【００５５】
さらに、内部の記憶媒体を取り出さなくても背表紙部２３の情報によって記憶媒体の内容を容易に把握することができ、所望する記憶媒体の存否の確認や選択的な取出しが極めて容易になる。
【００５６】
以上、本発明の各実施形態について説明してきたが、本発明の技術範囲は上記実施の形態に限定されるものではなく、本発明の趣旨を逸脱しない範囲において種々の変更を加えることが可能である。
【００５７】
例えば、上述の各実施形態においては、収納体に密閉部が設けられた例を説明したが、本発明において密閉部は必ずしも独立して設けられなくてもよい。
一例として、前面部及び背面部の左右方向の寸法を若干長めに設定し、前面部の折目Ｏ２と反対側の端部を接着剤等で背面部と一体に接合することによっても、収納スペースＳ
を密閉することができる。この場合は、当該接合部分より折目Ｏ２側に開封部を設ければよい。ただしこの場合、接合部分を確保するために、前面部及び背面部が収納されるＣＤ等より若干大きくなるため、密閉部によって密閉する方が、収納体をよりコンパクトにすることができ、好ましい。
【００５８】
また、上述の各実施形態においては、収納体が無線綴じ冊子体に取付けられる例を説明したが、綴じ込み部の寸法等を適宜変更したり、折丁の最外部の頁に綴じ込み部を貼着したりすることによって、中綴じ等の他の綴じ方式の冊子体に取付けることも可能である。
【００５９】
さらに、上述の各実施形態においては、収納体が１枚の板紙から形成される例を説明したが、収納体を背面部側と前面部側の２枚の板紙を貼り合わせることによって形成してもよい。ただし、この場合は、前面部と背面部の四方の端部を接着剤等で接合する必要があるので、上述のように１枚の板紙で形成するのが工程的にもコスト的にもより好ましい。
【００６０】
加えて、収納体に収納される物品は、上述のＣＤ等の記憶媒体に限られず、例えば折り込み地図など、他の物品が収納されても構わない。
【図面の簡単な説明】
【００６１】
【図１】本発明の第１実施形態の収納体を展開した状態を示す図である。
【図２】図１の裏側を示す図である。
【図３】同収納体が完成した状態を示す図である。
【図４】同収納体が綴じ込まれた無線綴じ冊子体を示す図である。
【図５】同収納体の使用時の動作を示す図である。
【図６】同収納体の使用時の動作を示す図である。
【図７】本発明の第２実施形態の収納体を展開した状態を示す図である。
【図８】図７の裏側を示す図である。
【図９】同収納体が完成した状態を示す図である。
【図１０】同収納体が綴じ込まれた無線綴じ冊子体を示す図である。
【図１１】同収納体の使用時の動作を示す図である。
【図１２】同収納体の使用時の動作を示す図である。
【図１３】（ａ）は、同収納体の蓋部で開口を閉じた状態を示す図であり、（ｂ）は、（ａ）の裏側を示す図である。
【図１４】同収納体を複数並べて背表紙部側から見た状態の一例を示す図である。
【符号の説明】
【００６２】
１、２１  収納体
２  綴じ込み部
３、２２  蓋部
３Ａ  凸部（係合部）
４  背面部
５、２４  前面部
５Ａ、２４Ａ  スリット（被係合部）
６  密閉部
７  開封部
８  余剰部
１０  ＣＤ
１１、２５  無線綴じ冊子体
２３  背表紙部
Ｐ  板紙
Ｓ  収納スペース
【図１】
0005182613.tif 000002
【図２】
0005182613.tif 000003
【図３】
0005182613.tif 000004
【図４】
0005182613.tif 000005
【図５】
0005182613.tif 000006
【図６】
0005182613.tif 000007
【図７】
0005182613.tif 000008
【図８】
0005182613.tif 000009
【図９】
0005182613.tif 000010
【図１０】
0005182613.tif 000011
【図１１】
0005182613.tif 000012
【図１２】
0005182613.tif 000013
【図１３】
0005182613.tif 000014
【図１４】
0005182613.tif 000015